(57)【要約】【課題】器具効率を高めることのできる照明器具を提供する。【解決手段】無電極放電ランプ１と、無電極放電ランプ１の一端に設けられる口金２と、口金２を機械的に保持することで無電極放電ランプ１を支持する器具本体３と、一端に無電極放電ランプ１からの光を照明空間に出射させる出射口４０が設けられるとともに、他端に無電極放電ランプ１を通すための開口４１が設けられ、無電極放電ランプ１を囲む形で器具本体３に取り付けられて無電極放電ランプ１から放射される光を出射口４０を介して照明空間に向けて反射させる笠状の反射枠４とを備え、口金２に、無電極放電ランプ１に対して開口４１を覆い隠すとともに無電極放電ランプ１から口金２及び開口４１に向けて放射される光を反射枠４又は照明空間に向けて反射させる補助反射部７を設けた。【選択図】図１
2011238411.tif 000002
【特許請求の範囲】
【請求項１】
光源と、光源の一端に設けられる口金と、前記口金を機械的に保持することで前記光源を支持する器具本体と、一端に前記光源からの光を照明空間に出射させる出射口が設けられるとともに、他端に前記光源を通すための開口が設けられ、前記光源を囲む形で前記器具本体に取り付けられて前記光源から放射される光を前記出射口を介して照明空間に向けて反射させる笠状の反射枠とを備え、前記口金には、前記光源に対して前記開口を覆い隠すとともに前記光源から前記口金及び前記開口に向けて放射される光を前記反射枠又は前記照明空間に向けて反射させる補助反射部が設けられたことを特徴とする照明器具。
【請求項２】
前記補助反射部は複数の反射板に分割されて成り、且つ前記口金に着脱自在に装着されることを特徴とする請求項１記載の照明器具。
【請求項３】
前記各反射板は、それぞれ前記光源に沿う位置と前記光源に対して前記開口を覆い隠す位置との間で回動自在に設けられ、且つ前記光源に沿う位置から前記光源に対して前記開口を覆い隠す位置に向けて付勢する付勢手段が設けられたことを特徴とする請求項２記載の照明器具。
【請求項４】
前記光源は、透光性材料から成るバルブと、前記バルブと一体に形成され且つ前記バルブ内方に突出し高周波電流が通電される誘導コイルが配設されるキャビティとから気密な放電空間を形成するとともに前記放電空間に放電ガスが封入され、前記誘導コイルに高周波電流を通電することにより形成される電磁界の作用によって前記放電ガスを電離し、発生したプラズマによって励起発光させる無電極放電ランプであることを特徴とする請求項１乃至３の何れか１項に記載の照明器具。
【発明の詳細な説明】
【技術分野】
【０００１】
本発明は、例えば無電極放電灯等を光源とする照明器具に関する。
【背景技術】
【０００２】
従来から、体育館や工場、スポーツ施設等の高い天井に取り付けられる照明器具の光源として、一般的にメタルハライドランプ等の高輝度放電ランプ（ＨＩＤランプ）が使用されている。近年では、上記のような照明器具の光源として、長寿命、高演色性、省エネルギー、瞬時に点灯可能な点を考慮して、無電極放電ランプが注目されている。この無電極放電ランプを使用した照明器具が例えば特許文献１に開示されている。
【０００３】
以下、特許文献１に記載の照明器具について図面を用いて説明する。尚、以下の説明では、図５における上下を上下方向と定めるものとする。この照明器具は、図５に示すように、無電極放電ランプ１００と、無電極放電ランプ１００を支持するランプ支持部材１０１と、ランプ支持部材１０１に取り付けられて無電極放電ランプ１００からの光を照明空間に向けて反射する反射笠１０２とから成る。ランプ支持部材１０１の上部には、無電極放電ランプ１００に点灯電力を供給するランプ点灯ユニット部１０３ａを収納した収納ケース１０３が取付固定されている。また、収納ケース１０３の上部には、自身を天井等の高所に角度調整可能に取付固定するための取付ユニット１０４が設けられている。
【０００４】
尚、上記従来例に使用する無電極放電ランプとしては、球状のバルブを有したものがあり、例えば特許文献２に開示されている。この無電極放電ランプは、透光性材料から成る球状のバルブと、バルブと一体に形成され且つバルブ内方に突出し高周波電流が通電される誘導コイルが配設されるキャビティとから放電空間を形成している。誘導コイルは、筒形状のカプラにおいて磁性体から成るコアの外周に巻き回されるとともに、カプラがキャビティに挿入されることでバルブに近接配置される。
【０００５】
カプラは、キャビティに挿入される筒形状の本体部と、本体部の一端部に設けられて本体部の径寸法よりも大きい径寸法から成る台座部とから成る。カプラのコア以外の部位には、熱伝導性の高い材料から成る部品が用いられており、このため、カプラには誘導コイルで発生する熱を放熱する機能もある。更に、バルブには、キャビティから外部に突出するカプラの台座部を覆うようにして口金が設けられている。当該口金によってバルブとカプラとが結合される。そして、放電空間には放電ガスが封入され、誘導コイルに高周波電流を通電することにより形成される電磁界の作用によって放電ガスを電離し、発生したプラズマによって励起発光させるようになっている。
【先行技術文献】
【特許文献】
【０００６】
【特許文献１】特開２００３−１４１９２７号公報
【特許文献２】特開２００８−０５３１７８号公報
【発明の概要】
【発明が解決しようとする課題】
【０００７】
ところで、上述のように高い天井に取り付けられる照明器具では、十分な照明効果を得るために無電極放電ランプの光出力を高める必要があり、高出力化に伴ってバルブも大きくする必要がある。また、高出力化に伴ってカプラがプラズマから受ける熱量も増大するため、カプラの放熱機能を有する部位、特に台座部を大きくする必要がある。その結果、高出力の無電極放電ランプではバルブ等の大型化に伴って口金も大型化する。
【０００８】
しかしながら、上記従来例では、無電極放電ランプ１００の高出力化に伴って口金が大型化すると、無電極放電ランプ１００から口金に向かって直接放射される光、又は反射笠１０２から口金に向かって放射される反射光が口金に吸収されてしまう。更に、無電極放電ランプ１００をランプ支持部材１０１に取り付ける際には、反射笠１０２の上部に設けられた開口（図示せず）を通す必要があるが、バルブ及び口金が大型化すると当該開口を大きくしなければならない。すると、無電極放電ランプ１００から発せられる光の一部が、反射笠１０２で反射せずに当該開口を介して漏れてしまう。このように、無電極放電ランプ１００からの光の吸収又は漏れにより、照明空間に照射される光量が小さくなるため、器具効率が低下するという問題があった。また、無電極放電ランプ以外の他の光源を使用する場合であっても、光源の高出力化に伴ってバルブ及び口金が大型化するために、上記の問題が生じ得る。
【０００９】
本発明は、上記の点に鑑みて為されたもので、器具効率を高めることのできる照明器具を提供することを目的とする。
【課題を解決するための手段】
【００１０】
本発明の照明器具は、光源と、光源の一端に設けられる口金と、前記口金を機械的に保持することで前記光源を支持する器具本体と、一端に前記光源からの光を照明空間に出射させる出射口が設けられるとともに、他端に前記光源を通すための開口が設けられ、前記光源を囲む形で前記器具本体に取り付けられて前記光源から放射される光を前記出射口を介して照明空間に向けて反射させる笠状の反射枠とを備え、前記口金には、前記光源に対して前記開口を覆い隠すとともに前記光源から前記口金及び前記開口に向けて放射される光を前記反射枠又は前記照明空間に向けて反射させる補助反射部が設けられたことを特徴とする。
【００１１】
この照明器具において、前記補助反射部は複数の反射板に分割されて成り、且つ前記口金に着脱自在に装着されることが好ましい。
【００１２】
この照明器具において、前記各反射板は、それぞれ前記光源に沿う位置と前記光源に対して前記開口を覆い隠す位置との間で回動自在に設けられ、且つ前記光源に沿う位置から前記光源に対して前記口金を覆い隠す位置に向けて付勢する付勢手段が設けられることが好ましい。
【００１３】
この照明器具において、前記光源は、透光性材料から成るバルブと、前記バルブと一体に形成され且つ前記バルブ内方に突出し高周波電流が通電される誘導コイルが配設されるキャビティとから気密な放電空間を形成するとともに前記放電空間に放電ガスが封入され、前記誘導コイルに高周波電流を通電することにより形成される電磁界の作用によって前記放電ガスを電離し、発生したプラズマによって励起発光させる無電極放電ランプであることが好ましい。
【発明の効果】
【００１４】
本発明は、光源から口金、及び光源を通すための開口に向かって放射される光を補助反射板で反射させ、直接又は反射枠で更に反射させて照明空間に向けて照射させることができる。したがって、光源から放射される光の口金による吸収、及び開口からの漏れを防ぐことができるので、光源から放射される光を無駄なく照明空間に照射させることができ、器具効率を高めることができる。
【図面の簡単な説明】
【００１５】
【図１】本発明に係る照明器具の実施形態を示す一部透過した側面図である。
【図２】同上の光源を示す図で、（ａ）は一部透過した側面図で、（ｂ）はカプラを省略した断面図である。
【図３】同上の光源に補助反射部を取り付けた状態を示す図で、（ａ）は側面図で、（ｂ）は下面図である。
【図４】同上の補助反射部の他の構成を示す図で、（ａ）は各反射板を閉じた状態を示す側面図で、（ｂ）は各反射板を開けた状態を示す側面図である。
【図５】従来の照明器具を示す概略図である。
【発明を実施するための形態】
【００１６】
以下、本発明に係る照明器具の実施形態について図面を用いて説明する。尚、以下の説明では、図１における上下を上下方向と定めるものとする。本実施形態は、図１に示すように、無電極放電ランプ１（光源）と、無電極放電ランプ１の一端に設けられた口金２とを備える。また、口金２を機械的に保持することで無電極放電ランプ１を支持する器具本体３と、器具本体３に取り付けられて無電極放電ランプ１から放射される光を照明空間に向けて反射させる反射枠４とを備える。そして、口金２には、後述する補助反射部７が設けられている。
【００１７】
無電極放電ランプ１は、図２（ａ），（ｂ）に示すように、透光性材料から成るバルブ１０と、バルブ１０と一体に形成され且つバルブ１０内方に突出し高周波電流が通電される誘導コイル５が配設されるキャビティ１１とから気密な放電空間を構成している。そして、当該放電空間には、例えばアルゴンのような希ガスと、後述するアマルガムから放出される水銀蒸気とを含む放電ガスが封入される。誘導コイル５は、後述するカプラ６の本体部６０外周に巻き回されるとともに、カプラ６の本体部６０がキャビティ１１に挿入されることによってバルブ１０に近接配置される。
【００１８】
バルブ１０は、例えばガラス等の透光性材料を電球形状に加工して成り、その一端部（上端部）には、バルブ１０の頚部（上端部）と後述するカプラ６の台座部６１とを互いに機械的に結合させるための環状の口金２が取り付けられる。尚、口金２については従来周知であるので、ここでは詳細な説明を省略する。
【００１９】
キャビティ１１の底面には、放電空間に連通した空洞を内部に有してカプラ６の本体部６０に挿入される円筒状の排気管１２が上向きに突出するように設けられている。この排気管１２の上下方向における中央部付近には、放電ガスの蒸気圧を制御するためのアマルガム（図示せず）が封入された金属容器１３が設けられている。アマルガムは、例えばビスマスとインジウムとの合金から成る基体金属に水銀を３．５％添加したものである。また、金属容器１３には、アマルガムに出入りする水銀蒸気を通過させるために、例えば２つの穴（図示せず）が設けられている。尚、排気管１２の内周面には、金属容器１３を位置決めするための突部１２ａが設けられている。
【００２０】
ここで、バルブ１０の製造工程においては、排気管１２の先端部１２ａ（上端部）は開口しており、当該先端部１２ａを介してバルブ１０内の排気、及びバルブ１０内への希ガスの封入を行う。そして、金属容器１３を先端部１２ａの開口から排気管１２内に挿入するとともに、例えばガラス製の支持棒１４を先端部１２ａの開口から排気管１２内に挿入した後に、当該先端部１２ａを例えば溶着によって閉塞する。このようにして、バルブ１０内への希ガスの封入、及び金属容器１３の排気管１２への導入が行われる。
【００２１】
カプラ６は、図２（ａ）に示すように、キャビティ１１に挿入される筒状の本体部６０と、本体部６０の一端部（上端部）において径方向に広がって突出する台座部６１とから成る。カプラ６の本体部６０の一部は、筒形状のコア６０ａで構成されている。コア６０ａは、高周波磁気特性の良好なＭｎ−Ｚｎフェライト材料を円筒状に加工したものであり、その側面には、誘導コイル５が絶縁層６０ｂを間に挟んで巻き回されている。本体部６０のコア６０ａ以外の部位、及び台座部６１は、何れもアルミ等の良好な放熱性を有する金属材料から形成されており、誘導コイル５及びコア６０ａが発生する熱を放熱する機能を有している。
【００２２】
以下、無電極放電ランプ１の発光原理について簡単に説明する。誘導コイル５に高周波電力が供給される、即ち、高周波電流が通電されると、通電することにより形成される高周波電磁界の作用によって放電ガスが電離し、プラズマが発生する。この発生したプラズマによって放電ガス中の水銀が励起されて紫外光が放射される。ここで、バルブ１０の内周面、及びキャビティ１１の外周面には、図２（ｂ）に示すように蛍光体１５が塗布されている。このため、水銀から放射された紫外光が蛍光体１５を介して可視光に変換され、当該可視光がバルブ１０外部に放射されることで発光する。
【００２３】
器具本体３は、例えば金属材料から箱体に形成され、図１に示すように、例えば高い天井（図示せず）等に取り付けられて、口金２を機械的に保持することで、無電極放電ランプ１を支持する。また、器具本体３の内部には、電線（図示せず）を介して誘導コイル５に電気的に接続されて誘導コイル５に高周波電力を供給する高周波電源（図示せず）が収納されている。
【００２４】
反射枠４は、図１に示すように、放熱性を有する金属材料（例えば、アルミダイカスト）から笠状に形成され、その下部には無電極放電ランプ１が発する光を照明空間に出射する円形状の出射口４０が設けられている。また、反射枠４の上部には、無電極放電ランプ１のバルブ１０を挿入できる程度の径寸法を有する円形状の開口４１が設けられており、当該上部が器具本体３に取り付けられる。反射枠４の出射口４０と開口４１との間の内周面は、開口４１から出射口４０に向かうにつれて径方向に広がる曲面となっている。この曲面は、例えばアクリル塗料等の塗料で白色に塗装されており、無電極放電ランプ１からの光を反射する反射面４ａを構成している。而して、無電極放電ランプ１からの光が反射枠４の反射面４ａで反射し、出射口４０からほぼ鉛直下方に出射されるようになっている。
【００２５】
補助反射部７は、図３（ａ），（ｂ）に示すように、金属材料から矩形板状に形成された複数（図示では８つ）の反射板７０を備え、各反射板７０の長手方向における一端部は、円筒状の取付部材（図示せず）の一端部に周方向に沿って取り付けられている。各反射板７０は、無電極放電ランプ１からの光を反射枠４の反射面４ａ又は照明空間に効率良く反射させるために、その長手方向における中央部が上向きに湾曲している。補助反射部７を口金２に取り付けるには、先ず取付部材を口金２の内周面に沿わせるように配置する。そして、バルブ１０の頚部を口金２に挿入し、バルブ１０の頚部を口金２に嵌め合わせることで、取付部材がバルブ１０の頚部と口金２との間に挟持される。而して、補助反射部７を口金２に着脱自在に取り付けることができるので、器具を容易に組み立てることができる。
【００２６】
このように補助反射部７を口金２に取り付けることで、図１に示すように、補助反射部７の各反射板７０が無電極放電ランプ１に対して開口４１を覆い隠す。そして、無電極放電ランプ１から口金２及び開口４１に向けて放射される光が、図１の実線アに示すように、反射板７０及び反射枠４の反射面４ａで反射し、出射口４０を介して照明空間に出射される。または、図１の破線イに示すように、無電極放電ランプ１から口金２及び開口４１に向けて放射される光が反射板７０で反射し、出射口４０を介して照明空間に出射される。
【００２７】
上述のように、本実施形態では口金２に補助反射部７を設けているので、無電極放電ランプ１から口金２及び開口４１に向かって放射される光を補助反射部７で反射させ、直接又は反射枠４で更に反射させて照明空間に向けて照射させることができる。したがって、無電極放電ランプ１から放射される光の口金２による吸収、及び開口４１からの漏れを防ぐことができるので、無電極放電ランプ１から放射される光を無駄なく照明空間に照射させることができ、器具効率を高めることができる。
【００２８】
尚、本実施形態では、光源として無電極放電ランプ１を採用しているが、口金２を有するものであれば、例えば高輝度放電ランプ等の他の光源を採用しても構わない。
【００２９】
ここで、補助反射部７を口金２ではなく器具本体３に直接取り付けることも考えられるが、この場合、器具本体３側に補助反射部７を取付け可能とする構成を別途設ける必要がある。一方、本実施形態では、補助反射部７を口金２とバルブ１０の頚部との間に挟む形で設けているため、器具本体３に上記構成を別途設ける必要がない。更に、無電極放電ランプ１を器具本体３に支持させるだけで補助反射部７を配設できるため、取付作業が容易になるという利点がある。
【００３０】
ところで、無電極放電ランプ１を組立てが完成した状態で梱包及び運搬する場合、補助反射部７の各反射板７０が図３（ａ）に示すように開いた状態であれば、無電極放電ランプ１を梱包し難く、また、梱包材が大きくなるために運搬し難いという問題が生じ得る。そこで、図４（ａ），（ｂ）に示すように、各反射板７０の長手方向における口金２側の端部に回動軸７１を設け、バルブ１０に沿う位置（閉位置）と無電極放電ランプ１に対して開口４１を覆い隠す位置（開位置）との間で回動自在となるように構成してもよい。尚、回動軸７１は、各反射板７０の長手方向における口金２側の端部を他の部位よりも薄く形成して折り曲げ可能とすることで設けてもよいし、ヒンジを設けることでもよい。
【００３１】
このように構成することで、無電極放電ランプ１を梱包する際に、各反射板７０を閉位置に配置した状態で梱包できるので、梱包作業を容易に行うことができ、また、梱包材も小さくて済むので、容易に運搬することができる。
【００３２】
更に、各反射板７０に、閉位置から開位置に向けて付勢する付勢手段を設けてもよい。付勢手段としては、各反射板７０を例えばバイメタル等の熱を加えると可動する材料で構成することが考えられる。この場合、熱が加えられない平常時には各反射板７０が閉位置に配置され、無電極放電ランプ１が点灯してその熱が加えられると開位置に移動するように構成することができる。而して、単に補助反射部７を口金２に取り付けるだけで各反射板７０が無電極放電ランプ１の点灯時に自動的に開位置に移動するので、施工性を向上させることができる。
【符号の説明】
【００３３】
１  無電極放電ランプ（光源）
１０  バルブ
１１  キャビティ
２  口金
３  器具本体
４  反射枠
４０  出射口
４１  開口
５  誘導コイル
７  補助反射部
７０  反射板
【図１】
2011238411.tif 000003
【図２】
2011238411.tif 000004
【図３】
2011238411.tif 000005
【図４】
2011238411.tif 000006
【図５】
2011238411.tif 000007